(57)【要約】【課題】戸当たり８の溝部９に取付固定されて閉じ状態のドア６との間を遮音する防音用パッキンＰの溝部９内への押込み不足をなくすとともに、パッキンＰの基部１０の幅方向両端部が溝部９両側の戸当たり８表面から浮き上がるのを防いで見映えの向上を図る。【解決手段】防音用パッキンＰは、溝部９の開口を覆うように配置される板状の基部１０と、基部１０の幅方向中間部の裏側に、該基部１０とによって中空部分１２を形成するように互いに離間した状態で一体に接続され、溝部９に嵌合されて取り付けられる脚部１１と、基部１０の表側に設けられ、ドア６との当接により変形して該ドア６との間を遮音状態にシールするシール部１３とを備える。基部１０には、脚部１１が溝部９に押し込まれたときに基部１０がシール部１３に向かって中凸形状に変形するように誘導する変形誘導部としての凹条１０ａが設けられている。【選択図】図３
2019152021.tif 000002
【特許請求の範囲】
【請求項１】
建物の開口部周囲の枠部における戸当たりの溝部に取り付けられ、該戸当たりと戸当たりが受ける閉じ状態のドアとの間を遮音状態に封止するゴム製の防音用パッキンであって、
前記溝部の開口を覆うように配置される板状の基部と、
前記基部の幅方向中間部の裏面に、該基部とによって中空部分を形成するように互いに離間した状態で一体に接続され、前記溝部に嵌合されて取り付けられる脚部と、
前記基部の表面に設けられ、前記ドアとの当接により変形して該ドアとの間を遮音状態にシールするシール部と、
を備え、
前記基部の幅方向中間部には、前記脚部が前記溝部に押し込まれて該脚部の基部との接続部同士が互いに近付いたときに前記基部が前記シール部に向かって中凸形状に変形するように誘導する変形誘導部が設けられている、
ことを特徴とする防音用パッキン。
【請求項２】
請求項１に記載した防音用パッキンにおいて、
前記変形誘導部は、基部の裏面に凹設された凹条を有する、
ことを特徴とする防音用パッキン。
【請求項３】
請求項１又は２に記載した防音用パッキンにおいて、
前記変形誘導部は、前記基部の非変形状態でシール部に向かって湾曲したアーチ部を有する、
ことを特徴とする防音用パッキン。
【請求項４】
請求項１〜３のいずれか１つに記載した防音用パッキンにおいて、
前記脚部は、
互いに離間した１対の基端部が前記基部の裏面に一体に接続されかつ該基部とによって前記中空部分を形成する断面Ｕ字状又は断面Ｖ字状の脚部本体と、
前記脚部本体の外面に突設され、先端部で前記溝部の側面に圧接するひれ状の複数の突条片と、を有し、
前記変形誘導部は、前記基部において前記脚部本体の前記１対の基端部が接続されている部位の間に設けられている、
ことを特徴とする防音用パッキン。
【請求項５】
請求項１〜４のいずれか１つに記載した防音用パッキンにおいて、
前記シール部は、前記基部及び前記脚部よりも軟らかいゴムで構成されている、
こと特徴とする防音用パッキン。
【請求項６】
請求項４又は５に記載した防音用パッキンにおいて、
前記複数の突条片は、前記脚部本体における前記基端部側に互いに対応して設けられた２つの第１突条片と、前記脚部本体における先端部側に互いに対応して設けられた２つの第２突条片とを含み、
前記第１突条片の突出高さが前記第２突条片の突出高さよりも高い、
ことを特徴とする防音用パッキン。
【請求項７】
請求項１〜６のいずれか１つに記載した防音用パッキンにおいて、
前記シール部は、前記建物の開口部周囲の枠部に当接する帯状角部を有することを特徴とする防音用パッキン。
【請求項８】
建物の開口部周囲の枠部に、該開口部を開閉する防音ドアが支持され、
前記枠部に前記防音ドアを受ける戸当たりが取付固定され、
前記戸当たりに溝部が形成されていて、該溝部に請求項１〜７のいずれか１つに記載した防音用パッキンが嵌合されて取り付けられている、
ことを特徴とする防音構造。
【発明の詳細な説明】
【技術分野】
【０００１】
本発明は、防音ドア装置等に用いられる防音用パッキン及びそれを用いた防音構造に関するものである。
【背景技術】
【０００２】
この種の防音ドア装置においては、一般に、建物の開口部周りのドア枠の全体に施工されている戸当たりに溝部を形成し、その溝部にパッキンを嵌合して固定することにより、ドアが閉じてその周縁部が戸当たりに接近した状態で、そのドア周縁部をパッキンに圧接させて戸当たりとドアとの隙間を遮音状態にシールするようにしている。
【０００３】
このような防音ドア装置に用いられるパッキンとして、従来、例えば特許文献１や特許文献２に示されるものが提案されている。特許文献１に示されるパッキンでは、戸当たりの溝部に嵌合される脚部を中実構造として、その脚部の側面に弾性ひれ片を突設し、脚部を戸当たりの溝部に嵌合したときに、弾性ひれ片を溝部の内側面に密着させるようにしている。また、脚部の基部に側方に延びる気密片を突設し、脚部が溝部に嵌合されたときに気密片で溝部の開口を覆うようになっている。
【０００４】
一方、特許文献２に示されるものでは、戸当たりの溝部に嵌合される脚部を中空構造とし、その側面にフィンを突設している。このような中空構造の脚部は、特許文献１に示される中実構造のものと比べて変形し易いので、その溝部内への嵌合が容易になる。
【先行技術文献】
【特許文献】
【０００５】
【特許文献１】特開平７−１８０４４５号公報
【特許文献２】特開２００４−６０３８１号公報
【発明の概要】
【発明が解決しようとする課題】
【０００６】
そこで、特許文献２に示される構造に基づき、新しいパッキンとして、戸当たりの溝部の開口を覆うように配置される板状の基部を設け、その基部の裏面に脚部を基部との間に中空部分を形成するように一体に設け、基部の表面に、ドアと当接して遮音状態にシールするシール部を一体的に設けた構造のものが考えられる。
【０００７】
しかし、その場合、パッキンの戸当たりへの取付時に、パッキンにおける基部の幅方向中間部をシール部の上から押して脚部を戸当たりの溝部に押し込む際、その脚部が溝部内の側面に押されて中空部分を小さくするように変形し始めると、その変形に伴い、基部は、押している部分である幅方向中間部を両端部よりも溝部内側に凹陥させるように湾曲変形する。このように基部の幅方向中間部が凹陥すると、基部に対する押圧部分が凹んだ状態となり、それ以降、押圧部分が逃げて基部をさらに押すことが困難となり、脚部の溝部への押込み不足が生じる虞れがある。
【０００８】
しかも、基部の幅方向中間部が凹陥することにより、その基部の幅方向両端部は溝部両側の戸当たりの表面から浮き上がるようになり、基部の幅方向両端部と溝部両側の戸当たり表面との間に隙間が生じて、外観上の見映えが悪くなる。
【０００９】
本発明は斯かる点に鑑みてなされたものであり、その目的は、パッキンの構造に改良を加え、そのパッキンの脚部が溝部内に容易に嵌合されるようにしてその押込み不足をなくすとともに、基部の幅方向両端部が溝部両側の戸当たり表面から浮き上がるのを防いで見映えの向上を図ることにある。
【課題を解決するための手段】
【００１０】
前記の目的を達成するために、この発明では、パッキンの脚部が戸当たりの溝部内に押し込まれたときに、基部を幅方向中間部が両端部よりも溝部と反対側に膨らむように湾曲変形させる誘導部分を設けることとした。
【００１１】
具体的には、第１の発明は、建物の開口部周囲の枠部における戸当たりの溝部に取り付けられ、該戸当たりと戸当たりが受ける閉じ状態のドアとの間を遮音状態に封止するゴム製の防音用パッキンであって、前記溝部の開口を覆うように配置される板状の基部と、前記基部の幅方向中間部の裏面に、該基部とによって中空部分を形成するように互いに離間した状態で一体に接続され、前記溝部に嵌合されて取り付けられる脚部と、前記基部の表面に設けられ、前記ドアとの当接により変形して該ドアとの間を遮音状態にシールするシール部と、を備える。そして、前記基部の幅方向中間部には、前記脚部が前記溝部に押し込まれて該脚部の基部との接続部同士が互いに近付いたときに前記基部が前記シール部に向かって中凸形状に変形するように誘導する変形誘導部が設けられていることを特徴とする。
【００１２】
この第１の発明では、パッキンを戸当たりの溝部に取付固定する際、パッキンのシール部の上から基部を押すことによって、その脚部が戸当たりの溝部内に押し込まれる。こうして脚部が溝部に押し込まれると、その脚部は溝部内の対向する両側面から押されるので、まず、脚部において基部との接続部が互いに近付いて、脚部と基部とによって形成されている中空部分が小さくなるように変形する。パッキンの基部の幅方向中間部に変形誘導部が設けられているので、前記のような脚部の変形が生じると、変形誘導部により基部の変形が誘導され、その基部はシール部に向かって中凸形状に変形する。そのため、これに引き続いて脚部を溝部に押し込む際に、この変形した基部の幅方向中間部においてシール側に突出した中凸部分つまり脚部の中間部分の真上の部分を押すことになり、押込みの力を中凸部分で受けて、その力が脚部に伝わり易くなり、パッキンをシール部の上側から溝部へ押し込み易く、パッキンの脚部を戸当たりの溝部に対して完全に嵌合させ、押込み不足が生じるのを防止することができる。
【００１３】
また、脚部を溝部に押し込んだ状態において、基部がシール部に向かって中凸形状に変形することで、基部が幅方向端部において溝部の開口両側の戸当たり表面と近接ないしは当接するようになり、このことから、基部の幅方向両端部と戸当たり表面との間に隙間が生じ難くなり、外観上の見映えを向上させることができる。
【００１４】
第２の発明は、第１の発明において、前記変形誘導部は、基部の裏面に凹設された凹条を有することを特徴とする。
【００１５】
この第２の発明では、基部の幅方向中間部の裏面に凹条が設けられているので、パッキンの脚部が戸当たりの溝部内に押し込まれ、脚部の基部との接続部分が互いに近付いて、脚部と基部とによって形成されている中空部分が小さくなるように変形すると、基部がその幅方向中間部の凹条を起点としてシール部に向かって中凸形状に変形するようになる。よって、変形誘導部が具体的に得られる。
【００１６】
第３の発明は、第１又は第２の発明において、前記変形誘導部は、前記基部の非変形状態でシール部に向かって湾曲したアーチ部を有することを特徴とする。
【００１７】
この第３の発明では、基部の幅方向中間部にシール部に向かって湾曲したアーチ部が設けられているので、パッキンの脚部が戸当たりの溝部内に押し込まれ、脚部の基部との接続部分が互いに近付いて、脚部と基部とによって形成されている中空部分が小さくなるように変形すると、基部がその幅方向中間部のアーチ部を起点としてシール部に向かって中凸形状に変形するようになる。よって、変形誘導部が具体的に得られる。
【００１８】
しかも、パッキンの脚部を戸当たりの溝部内に押し込み始める初期の段階でも、基部において、脚部の真上部分のアーチ部を押すことができ、その押込みの力をアーチ部で受けて、その力が脚部に伝わり易くなり、脚部を容易に押し込むことができる利点がある。
【００１９】
第４の発明は、第１〜第３のいずれか１つの発明において、前記脚部は、互いに離間した１対の基端部が前記基部の裏面に一体に接続されかつ該基部とによって前記中空部分を形成する断面Ｕ字状又は断面Ｖ字状の脚部本体と、前記脚部本体の外面に突設され、先端部で前記溝部の側面に圧接するひれ状の複数の突条片と、を有するものとし、前記変形誘導部は、前記基部において前記脚部本体の前記１対の基端部が接続されている部位の間に設けられていることを特徴とする。
【００２０】
この第４の発明では、パッキンの脚部における脚部本体の外面にひれ状の複数の突条片が突設されていることから、その脚部が戸当たりの溝部内に押し込まれると、脚部は、その脚部本体の外面における複数の突条片が各先端部で溝部の側面と圧接して変形した状態で溝部内に嵌合し、この突条片の溝部側面への圧接によって脚部が溝部内に物理的に係合した状態で固定される。これによって、脚部は戸当たりの溝部の側面から摩擦力を受けるので、脚部が溝部から自然に抜け出し難くなる。また、この状態では、溝部側面からの反力により脚部本体の基端部が互いに近付くように移動して、脚部は基部とによって形成されている中空部分が小さくなるように変形する。そして、変形誘導部は、基部において脚部本体の離間した基端部が接続されている部位の間に設けられているので、脚部の脚部本体における一対の基端部が互いに近付くように移動するのに伴い、変形誘導部によって基部がシール部に向かって中凸形状にスムーズに変形するようになり、よって変形誘導部による基部の変形が容易に行われる。
【００２１】
第５の発明は、第１〜第４のいずれか１つの発明において、前記シール部は、前記基部及び前記脚部よりも軟らかいゴムで構成されていること特徴とする。
【００２２】
この第５の発明では、ドアと当接してドアとの間をシールするシール部を構成するゴムが軟らかいので、ドアを閉じた際に、シール部はドア形状に沿うように変形してドアと広い面積で密着するようになる。一方、パッキンの基部及び脚部はシール部よりも硬いので、脚部は溝部内で確実に押し込まれて強固に係合固定され、基部は戸当たりの表面において溝部を確実に覆うように配置される。
【００２３】
第６の発明では、第４又は第５の発明において、前記複数の突条片は、前記脚部本体における前記基端部側に互いに対応して設けられた２つの第１突条片と、前記脚部本体における先端部側に互いに対応して設けられた２つの第２突条片とを含むものとし、前記第１突条片の突出高さが前記第２突条片の突出高さよりも高いことを特徴とする。
【００２４】
この第６の発明では、脚部において、基部側の各第１突条片の突出高さを先端部側の第２突条片の突出高さよりも高くすることで、脚部が溝部に嵌合したときに、脚部本体が基端部側で互いに近づくように大きく変形し易くなる。これによって、脚部が溝部に嵌合したときに、基部が中凸形状に変形した際のシール部側への突出量が大きくなる。その結果、第１の発明の効果がより有効に発揮される。しかも、このような第１及び第２突条片の突出高さの違いにより、脚部が全体として先細り形状となり、その戸当たりの溝部への嵌合が容易となる。
【００２５】
第７の発明では、第１〜第６のいずれか１つの発明において、前記シール部は、前記建物の開口部周囲の枠部に当接する帯状角部を有することを特徴とする。
【００２６】
この第７の発明では、シール部が建物の開口部周囲の枠部に当接するので、シール部は枠部と戸当たりとの間及び枠部と戸当たりが受ける閉じ状態のドアとの間を封止状態に遮音することとなり、防音用パッキンの防音効果を向上させることができる。
【００２７】
第８の発明は防音構造に係り、この防音構造は、建物の開口部周囲の枠部に、該開口部を開閉する防音ドアが支持され、前記枠部に前記防音ドアを受ける戸当たりが取付固定され、前記戸当たりに溝部が形成されていて、該溝部に第１〜第７のいずれか１つの発明の防音用パッキンが嵌合されて取り付けられていることを特徴とする。
【００２８】
この第８の発明では、第１〜第７の発明の作用効果を奏する防音構造を得ることが出来る。
【発明の効果】
【００２９】
以上説明したように、本発明によると、防音用パッキンの基部の幅方向中間部には、その脚部が戸当たりの溝部に押し込まれて脚部の基部との接続部分同士が互いに近付いたときに前記基部がシール部に向かって中凸形状に変形するように誘導する変形誘導部が設けられているので、その変形した中凸形状の基部をシール部の上から押して脚部を容易に押し込むことができ、脚部の溝部内への押込み不足が生じるのを防止できるとともに、中凸形状に変形した基部の幅方向両端部を溝部の開口両側の戸当たり表面に近接ないしは当接させて、それらの間に隙間を生じ難くし、外観上の見映えを向上させることができる。
【図面の簡単な説明】
【００３０】
【図１】図１は、本発明の実施形態１に係る防音構造の水平断面図である。
【図２】図２は、防音用パッキンの拡大断面図である。
【図３】図３は、防音用パッキンが戸当たりの溝部に嵌合された状態を示す断面図である。
【図４】図４は、実施形態２に係る防音用パッキンを示す図２相当図である。
【図５】図５は、実施形態３に係る防音用パッキンを示す図２相当図である。
【図６】図６は、防音用パッキンのシール部における帯状角部の有無に応じた防音効果を示す表である。
【図７】図７は、防音用パッキンのシール部における帯状角部の有無に応じた防音効果を示す図である。
【発明を実施するための形態】
【００３１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３２】
（実施形態１）
図１は本発明の実施形態１に係る防音構造Ｓを示す。図１において、１は建物内に設けられた防音用途空間（例えば防音スタジオや楽器演奏用ルーム、シアタールーム、オーディオルーム等）であって、この防音用途空間１は、それに隣接する他の隣接空間２と壁部３によって仕切られている。この壁部３には、隣接空間２から防音用途空間１に出入り可能な開口部４が形成され、この開口部４の周囲全体には上下の横枠及び左右の縦枠からなる枠部５が施工されている。この枠部５には、例えば防音用途空間１側に移動して開く内開きの防音ドア６が丁番７（ヒンジ）を介して揺動可能に支持されており、この丁番７回りに揺動する防音ドア６によって開口部４（枠部５内）が開閉されるようになっている。防音ドア６は、図示しないが、例えば内部に防音材を収容していて、それ自体で遮音性（防音性）を有している。
【００３３】
枠部５の内周面には、ドア６を受けるための小角材からなる戸当たり８が枠部５の全体に亘って連続するように取付固定されており、当該戸当たり８はドア６の閉止時にドア６表面の周縁部と対向する。戸当たり８の防音用途空間１側の表面には、その幅方向略中央部位に溝部９が形成されている。この溝部９は溝幅が開口部から底部まで同じ断面矩形状のもので（例えば溝幅１１ｍｍ、溝深さ８ｍｍ）、戸当たり８の全体に亘って閉じループ状に連続するように設けられている。尚、防音ドア６は、隣接空間２側に移動して開く外開きのタイプとし、戸当たり８の隣接空間２側の表面に溝部９を形成してもよい。
【００３４】
前記溝部９には、本発明の実施形態に係るゴム製の防音用パッキンＰが取り付けられており、防音ドア６が閉じて該ドア６の周縁部が戸当たり８に近接したときに、そのドア６の周縁部をパッキンＰに密着状に当接させて、ドア６の周縁部と戸当たり８との間の隙間を遮音状態に気密シールし、その隙間からの音漏れを防いで遮音するようになっている。
【００３５】
尚、パッキンＰは連続した１本のものを溝部９に嵌合してもよく、或いは一定長さの複数のものを連続するように溝部９に嵌合してもよい。
【００３６】
図２及び図３に拡大して示すように、防音用パッキンＰは、略平板状の基部１０を有している。基部１０は、その幅が前記戸当たり８に形成された溝部９よりも広い幅（例えば１９ｍｍ）で形成されている。また、基部１０は、パッキンＰが戸当たり８の溝部９に取り付けられたときに、その溝部９に対応するように延びており、溝部９の開口を覆うように配置される。
【００３７】
基部１０の幅方向中間部の裏面（図２において下側面）には、戸当たり８の溝部９に嵌合されて取り付けられる脚部１１が基部１０とによって中空部分１２を形成するように接続により一体に形成されている。脚部１１は、互いに離間した１対の基端部を有する断面Ｕ字状の脚部本体１１ａを備え、その脚部本体１１ａの基端部（断面Ｕ字状の開口側端部）を基部１０の幅方向中間部裏面に一体に接続させることで、脚部本体１１ａと基部１０の一部とによって中空部分１２が形成されている。尚、脚部本体１１ａは断面Ｖ字状のものであってもよい。
【００３８】
尚、基部１０に対する脚部１１の接続位置は、基部１０の幅方向中間部であればよく、基部１０の幅方向中央部やその幅方向の一方にずれた位置であってもよい。この実施形態１では、パッキンＰが戸当たり８に取り付けられたときに枠部５寄りの外側（図２及び図３で右側）にずれた位置に接続されている。
【００３９】
前記脚部本体１１ａには、その対向する左右両側壁の外面に、先細りのひれ状とされた例えば４条の突条片１１ｂ，１１ｂ，１１ｃ，１１ｃが突設され、各突条片１１ｂ，１１ｃはパッキンＰの全長に亘って連続している。具体的には、４条の突条片１１ｂ，１１ｂ，１１ｃ，１１ｃは、脚部本体１１ａの基端側に位置する図２上側の左右の第１突条片１１ｂ，１１ｂと、脚部本体１１ａの先端側に位置する図２下側の左右の第２突条片１１ｃ，１１ｃとからなる。左右の第１突条片１１ｂ，１１ｂ同士、及び左右の第２突条片１１ｃ，１１ｃ同士はそれぞれ左右方向に対応するように配置され、脚部本体１１ａ片側の側壁において、各第１及び第２突条片１１ｂ，１１ｃは、脚部本体１１ａの突出方向に並んでいる。各突条片１１ｂ，１１ｃの基部１０側の表面は基部１０と平行であるが、基部１０と反対側の裏面は、突条片１１ｂ，１１ｃの突出方向に向かって基部１０側に向かうように傾斜する傾斜面とされている。このことで各突条片１１ｂ，１１ｃは先端部に向かって厚さが薄くなる先細り形状の断面構造とされている。各第１突条片１１ｂは、その脚部本体１１ａ外面からの突出高さ（幅）が例えば２．７５ｍｍで、各第２突条片１１ｃの突出高さ（例えば２．２５ｍｍ）よりも大きくなっている。そして、図３に示すように、脚部１１を戸当たり８の溝部９に押し込んで嵌合したときに、各突条片１１ｂ，１１ｃは変形した状態となってその先端部で溝部９の溝側面に圧接するようになっている。尚、各突条片１１ｂ，１１ｃは、例えばその全体が突条片１１ｂ，１１ｃの突出方向に向かって基部１０側に向かうように傾斜しているものとしてもよい。
【００４０】
基部１０の表面（図２において上側面）にはシール部１３が接着により一体的に設けられている。基部１０及び脚部１１はいずれも例えばソリッドゴムからなるのに対し、シール部１３は、例えば発砲ゴムからなっていて、基部１０及び脚部１１を構成するゴムよりも軟らかいゴム材で構成されている。
【００４１】
シール部１３は、例えば基部１０側である裏側に開放された樋形状のもので、その幅方向（左右方向）の両端部が基部１０の幅方向両端部表面に接着により一体的に接続固定されており、このシール部１３と基部１０とによって中空構造が形成されている。シール部１３の表面は例えば複数の曲面が連続した滑らかな円弧面の断面形状であるが、裏面には、シール部１３の長さ方向に互いに平行に延びる複数の凹条１３ａ，１３ａ，…が形成され、これら凹条１３ａ，１３ａ間の部分は断面円弧状に基部１０側に膨出している。そして、各凹条１３ａにおいては、シール部１３の厚さが他の部分よりも小さくなっており、この薄肉部分によってシール部１３が変形し易くなっている。また、シール部１３表面の一端寄り部分（パッキンＰの取付状態で枠部５寄り部分）には、基部１０と反対側に向かって外側（枠部５側）に向かうように傾斜して突出する帯状角（つの）部１３ｂがシール部１３の全長に亘り連続して一体に形成されており、シール部１３は、帯状角部１３ｂがその先端部で枠部５に当接するようになっている。尚、シール部１３は樋形状のものに限定されず、他の形状であってもよい。
【００４２】
本発明の特徴として、このように略平板状に形成されている基部１０は、脚部１１の脚部本体１１ａの基端部が接続されている部位間の部分が他の部分よりも少し厚肉とされ、当該厚肉部分の裏面には、脚部１１の脚部本体１１ａの両基端部の部位から基部１０の幅方向中央にかけて深くなる断面Ｖ字状となっている凹条１０ａがパッキンＰの長さ方向に沿って延びるように凹設されている。この凹条１０ａは変形誘導部を構成しており、図３に示すように、基部１０がシール部１３の上から押されて脚部１１が溝部９に押し込まれたときに、基部１０がシール部１３に向かって中凸形状に変形するのを誘導する。尚、凹条１０ａは断面Ｖ字状の他に例えば断面Ｕ字状であってもよい。
【００４３】
以上の構成のパッキンＰは、図３に示すように、戸当たり８の溝部９に脚部１１を嵌合させた状態で取付固定されて使用される。このパッキンＰを溝部９に取付固定するときの作業について説明する。
【００４４】
パッキンＰを戸当たり８の溝部９に取付固定する際、パッキンＰの脚部１１先端部を戸当たり８の溝部９の開口に宛がい、パッキンＰのシール部１３の上から基部１０を押す。このことによって、その脚部１１は戸当たり８の溝部９内に押し込まれて嵌合され始める。
【００４５】
このとき、脚部本体１１ａの突出方向に並んでいる複数の突条片１１ｂ，１１ｂ，１１ｃ，１１ｃの突出高さは、脚部本体１１ａの先端側になるほど小さいので、脚部１１を溝部９へ押し込む前には、脚部本体１１ａ及び複数の突条片１１ｂ，１１ｂ，１１ｃ，１１ｃを含む脚部１１全体の形状は先細り形状となっている。このため、脚部１１を戸当たり８の溝部９内にスムーズに押し込むことができる。
【００４６】
脚部１１が溝部９内に押し込まれるに連れ、脚部１１の脚部本体１１ａに突設されている複数の第１突条片１１ｂ，１１ｂ及び第２突条片１１ｃ，１１ｃは、各々の先端部が溝部９の開口側に向くように傾斜状態に変形し、その状態で各突条片１１ｂ，１１ｃの先端部が溝部９内の溝側面に圧接する。
【００４７】
そして、このように脚部１１が溝部９内に嵌合すると、各突条片１１ｂ，１１ｃが溝部９内の対向する両溝側面から押されることとなる。これによって、まず、脚部本体１１ａにおいて基部１０との接続部である基端部が互いに近付いて、脚部１１と基部１０とによって形成されている中空部分１２が小さくなるように変形する。パッキンＰの基部１０の幅方向中間部の厚肉部分の裏面に凹条１０ａが設けられているので、前記のような変形が生じると、基部１０は凹条１０ａ（変形誘導部）の部分においてその幅を小さくするように幅方向両側から押され、凹条１０ａの中央部（凹条１０ａの底部で厚肉部分において最も薄い部分）を起点として基部１０の変形が誘導され、基部１０は幅方向において凹条１０ａが位置する部分を表側（図２及び図３において上側）のシール部１３に向かって移動変位させるように中凸形状に変形し、それに伴い、基部１０の幅方向において凹条１０ａが位置する部分が押込み前の通常位置よりもシール部１３側に変位して突き上げられた状態となる。
【００４８】
そのとき、脚部１１は、前記のように基部１０側の各第１突条片１１ｂの突出高さが先端部側の各第２突条片１１ｃの突出高さよりも大きいので、脚部１１を溝部９内に押し込むに連れて、脚部１１の基端部の基部１０への接続部位を互いに近付ける力が増大し、脚部本体１１ａがその基端部側において先端部側よりも互いに大きく近づいて変形し易くなる。これによって、凹条１０ａによる基部１０の中凸形状への変形がスムーズに行われ、その中凸形状に変形した際のシール部１３側への突出量が大きくなる。
【００４９】
このような状態で、前記に引き続いて脚部１１を溝部９に押し込む際、この変形した基部１０の幅方向中間部において凹条１０ａによりシール部１３側に突出した中凸部分、つまり脚部１１の中間部分の真上の部分を押すことになり、押込みの力を中凸部分で受けて、その力が脚部１１に伝わり易くなる。このことによって、この段階でもパッキンＰをシール部１３の上側から溝部９へ押し込み易くなり、その結果、パッキンＰの脚部１１を戸当たり８の溝部９に対して完全に嵌合させることができ、押込み不足が生じるのを防止することができる。
【００５０】
また、図３に示すように、パッキンＰの脚部１１が溝部９に完全に押し込まれた状態では、脚部１１の外面の各第１突条片１１ｂ及び第２突条片１１ｃが変形して、その各先端部で溝部９の溝側面と圧接し、その状態で脚部１１が溝部９内に嵌合する。つまり、脚部１１は各第１突条片１１ｂ及び第２突条片１１ｃの溝部９の溝側面への圧接によって溝部９内に物理的に係合した状態で固定される。これによって、脚部１１は溝部９の溝側面から摩擦力を受けるので、溝部９から自然に抜け出すことがない。
【００５１】
しかも、防音用パッキンＰは、脚部１１が溝部９内に押し込まれた状態では、基部１０がシール部１３に向かうように中凸形状に変形しているので、その中凸形状に変形した基部１０の幅方向両端部は溝部９両側の戸当たり８表面に近接ないしは当接するようになる。このことで、基部１０の幅方向両端部と戸当たり８表面との間に隙間が生じ難くなり、外観上の見映えを向上させることができる。
【００５２】
以上のようにしてパッキンＰが戸当たり８の溝部９に取付固定された状態では、図１に示すように、ドア６を閉じると、パッキンＰはシール部１３においてドア６の周縁部と当接する。このとき、パッキンＰのシール部１３を構成するゴムが軟らかいので、ドア６を閉じた際に、シール部１３はドア６の形状に沿うように変形してドア６と広い面積で密着するようになる。また、シール部１３にはその裏側に複数の凹条１３ａ，１３ａ，…が長手方向に延びて形成されているので、シール部１３はドア６と密着するように柔軟に変形し易くなっており、これらによって、パッキンＰは、シール部１３においてドア６と確実に密着する。
【００５３】
一方、パッキンＰの基部１０及び脚部１１はシール部１３よりも硬いので、脚部１１は溝部９内で強固に係合固定され、基部１０は戸当たり８表面において溝部９を確実に覆うように配置される。また、前記のように、パッキンＰにおいて中凸形状に変形した基部１０が幅方向両端部において溝部９両側の戸当たり８表面に近接ないしは当接するから、それらの間に隙間を生じ難くなり、その分、遮音性についても有利となる。
【００５４】
さらに、シール部１３には、開口部４周囲の枠部５に当接する帯状角部１３ｂが形成されているから、帯状角部１３ｂが枠部５と戸当たり８との間及び枠部５と戸当たり８が受ける閉じ状態のドア６との間を共に封止状態に遮音することができるようになり、これにより防音用パッキンＰの防音効果がさらに向上する。
【００５５】
以上の結果、防音用パッキンＰは、戸当たり８と閉じ状態のドア６との間を遮音状態に封止し、防音用パッキンＰが施工された防音構造Ｓは、建物の防音用途空間１に臨む開口部４において、優れた防音効果を発揮することとなる。
【００５６】
尚、パッキンＰのシール部１３に帯状角部１３ｂを設けるのが好ましいが、必須ではなく、防音条件によっては設けなくてもよい。
【００５７】
（実施形態２）
図４は本発明の実施形態２を示し、変形誘導部を変更したものである。尚、図４において、図１〜図３と同じ部分については同じ符号を付してその詳細な説明は省略する。
【００５８】
すなわち、実施形態２では、防音用パッキンＰにおける基部１０は実施形態１と異なり、その裏面には凹条１０ａが形成されておらず、前記基部１０の幅方向中間部には変形誘導部としてのアーチ部１０ｂが設けられている。その他の構成は実施形態１と同じである。
【００５９】
具体的には、図４に示すように、アーチ部１０ｂは、基部１０の幅方向中間部において、脚部１１の脚部本体１１ａの基端部が接続されている部位の間に部分的に形成されていて、基部１０の非変形状態でシール部１３に向かって突出するように湾曲した断面円弧状のものとされている。このアーチ部１０ｂは基部１０の一部をなしていて、他の部分よりもシール部１３側に変位している。アーチ部１０ｂの厚さ（脚部１１の突出方向に沿った寸法）は中央部と両端部とで異なっており、中央部の厚さｔ１（例えば１．５ｍｍ）が両端部の厚さｔ２（例えば１．８ｍｍ）よりも薄くなっている（ｔ１＜ｔ２）。
【００６０】
このような構成によって、パッキンＰの脚部１１が戸当たり８の溝部９内に押し込まれ、脚部本体１１ａの基端部の基部１０との接続部位が互いに近付いて、脚部１１の基部１０とによって形成されている中空部分１２が小さくなるように変形すると、その基部１０は、アーチ部１０ｂの中央部を起点としてシール部１３側に突出した中凸形状に変形するようになる。よって、この場合も実施形態１と同様の作用効果を奏することができる。
【００６１】
また、基部１０のアーチ部１０ｂは、パッキンＰの脚部１１が戸当たり８の溝部９内に押し込まれていない状態でもシール部１３側に突出して形成されているので、脚部１１を溝部９内に押し込む初期の段階でも、基部１０において脚部１１の真上部分のアーチ部１０ｂを押すことになり、その押込みの力をアーチ部１０ｂで受けて、その力が脚部１１に伝わり易くなり、脚部１１を容易に押し込むことができる利点がある。
【００６２】
（実施形態３）
図５は本発明の実施形態３を示し、変形誘導部を実施形態１とは異なる形状の凹条１０ａに変更したものである。その他の構成は実施形態１及び実施形態２と同じである。
【００６３】
防音用パッキンＰにおける基部１０は平板状に形成されており、その平板状の基部１０には、脚部１１の脚部本体１１ａの両基端部が接続される部位の間の裏面に、実施形態１よりも幅の狭い断面Ｖ字状の凹条１０ａがパッキンＰの長さ方向に沿って延びるように凹設されている。この凹条１０ａが変形誘導部を構成しており、凹条１０ａにおいて、基部１０の厚さは他の部分よりも薄くなっている。尚、この場合も凹条１０ａは断面Ｖ字状の他に例えば断面Ｕ字状であってもよい。
【００６４】
このような構成によって、パッキンＰの脚部１１が戸当たり８の溝部９内に押し込まれ、脚部本体１１ａの基端部の基部１０との接続部位が互いに近付いて、脚部１１の基部１０とによって形成されている中空部分１２が小さくなるように変形すると、その基部１０は、凹条１０ａの位置を起点としてシール部１３側に突出した中凸形状に変形するようになる。よって、この場合も実施形態１及び２と同様の作用効果を奏することができる。
【００６５】
（その他の実施形態）
尚、前記各実施形態では、パッキンＰの脚部１１における各突条片１１ｂ，１１ｃを脚部本体１１ａの突出方向に２つ並設しているが、この数を変更することもできる。
【００６６】
また、前記各実施形態では、パッキンＰのゴム材として、基部１０及び脚部１１のソリッドゴムと、シール部１３の発砲ゴムとの２種類を用いているが、適当な硬度の１種類のゴム材を用いてもよい。
【００６７】
さらに、前記各実施形態では、変形誘導部を凹条１０ａやアーチ部１０ｂとしているが、これら以外のものでもよく、脚部１１が溝部９に押し込まれたときに基部１０がシール部１３に向かって中凸形状に変形するのを誘導する構造であればよい。
【実施例】
【００６８】
以下、本発明に係る防音パッキンにおいて、そのシール部に帯状角部を設けた場合（以下、例１とする）と帯状角部を設けない場合（以下、例２とする）とにおける防音構造の防音効果の違いを検証するための評価実験を示す。
【００６９】
評価実験に用いる防音構造は、防音用途空間からその隣接空間に出入り可能な開口部において、その開口部周辺の枠部に設けられた戸当たりの溝部に例１（帯状角部有り）又は例２（帯状角部無し）の防音パッキンを取り付けたものであり、その枠部に揺動可能に支持された防音ドアを閉じ状態として評価実験を行った。
【００７０】
評価実験では、防音用途空間（音源側）で周波数６３Ｈｚ、１２５Ｈｚ、２５０Ｈｚ、５００Ｈｚ、１０００Ｈｚ、２０００Ｈｚ、４０００Ｈｚの音を発生させ、それぞれの周波数の音について隣接空間（受音側）において受音した音量（大きさ）を測定した。
【００７１】
図６は評価実験の結果を示す。音源側で９８．６ｄＢ（６３Ｈｚ）、１０４．７ｄＢ（１２５Ｈｚ）、１０２．５ｄＢ（２５０Ｈｚ）、１０５．１ｄＢ（５００Ｈｚ）、１０４．１ｄＢ（１０００Ｈｚ）、９９．３ｄＢ（２０００Ｈｚ）、９７．７ｄＢ（４０００Ｈｚ）の音量で音を発生させた場合において、例１（帯状角部有り）では受音側で測定された音量がそれぞれ８５．１ｄＢ（６３Ｈｚ）、８０．９ｄＢ（１２５Ｈｚ）、７１．１ｄＢ（２５０Ｈｚ）、６３．２ｄＢ（５００Ｈｚ）、５８．９ｄＢ（１０００Ｈｚ）、５４．７ｄＢ（２０００Ｈｚ）、４６．３ｄＢ（４０００Ｈｚ）に下がった。音源側で発生させた音量と受音側で測定された音量との差をとることにより、例１（帯状角部有り）のパッキンを用いた防音構造における防音効果として１３．５ｄＢ（６３Ｈｚ）、２３．８ｄＢ（１２５Ｈｚ）、３１．４ｄＢ（２５０Ｈｚ）、４１．９ｄＢ（５００Ｈｚ）、４５．２ｄＢ（１０００Ｈｚ）、４４．６ｄＢ（２０００Ｈｚ）、５１．４ｄＢ（４０００Ｈｚ）の値が得られた。
【００７２】
例２（帯状角部無し）でも音源側で同様の周波数と音量の音を発生させ、受音側で８６．３ｄＢ（６３Ｈｚ）、８１．９ｄＢ（１２５Ｈｚ）、７１．３ｄＢ（２５０Ｈｚ）、６４．５ｄＢ（５００Ｈｚ）、６１．３ｄＢ（１０００Ｈｚ）、５７．３ｄＢ（２０００Ｈｚ）、４９．１ｄＢ（４０００Ｈｚ）が得られた。音源側で発生させた音量と受音側で測定された音量の差をとることにより、例２（帯状角部無し）のパッキンを用いた防音構造における防音効果として１２．３ｄＢ（６３Ｈｚ）、２２．８ｄＢ（１２５Ｈｚ）、３１．２ｄＢ（２５０Ｈｚ）、４０．６ｄＢ（５００Ｈｚ）、４２．８ｄＢ（１０００Ｈｚ）、４２．０ｄＢ（２０００Ｈｚ）、４８．６ｄＢ（４０００Ｈｚ）の値が得られた。
【００７３】
また、図７は図６の結果をプロットして示したグラフである。例１（帯状角部有り）及び例２（帯状角部無し）の防音効果の差をとると、例１（帯状角部有り）の防音パッキンを用いた防音構造は、例２（帯状角部無し）の防音パッキンを用いた防音構造より、１．２ｄＢ（６３Ｈｚ）、１．０ｄＢ（１２５Ｈｚ）、０．２ｄＢ（２５０Ｈｚ）、１．３ｄＢ（５００Ｈｚ）、２．４ｄＢ（１０００Ｈｚ）、２．６ｄＢ（２０００Ｈｚ）、２．８ｄＢ（４０００Ｈｚ）の値だけ防音効果が高いことがわかる。
【００７４】
以上の結果、本発明の防音パッキンのシール部に帯状角部が設けられていなくても高い防音効果が得られ、帯状角部があればより一層高い防音効果が得られることが明らかである。
【産業上の利用可能性】
【００７５】
本発明は、防音ドア装置等に用いられる防音用パッキン及びそれを用いた防音構造として極めて有用であり、産業上の利用可能性が高い。
【符号の説明】
【００７６】
Ｓ  防音構造
Ｐ  防音用パッキン
４  開口部
５  枠部
６  防音ドア
８  戸当たり
９  溝部
１０  基部
１０ａ  凹条（変形誘導部）
１０ｂ  アーチ部（変形誘導部）
１１  脚部
１１ａ  脚部本体
１１ｂ  第１突条片
１１ｃ  第２突条片
１２  中空部分
１３  シール部
１３ｂ  帯状角部
【図１】
2019152021.tif 000003
【図２】
2019152021.tif 000004
【図３】
2019152021.tif 000005
【図４】
2019152021.tif 000006
【図５】
2019152021.tif 000007
【図６】
2019152021.tif 000008
【図７】
2019152021.tif 000009